(57)【要約】【課題】ハンドオーバーを行う際に、シームレスなハンドオーバーを実現する。【解決手段】端末１とノード８間のデータ通信の経路を形成するための複数の無線アクセスシステム２〜５と、ノード８と複数の無線アクセスネットワーク間を接続するための通信網としてのインターネット網６と、インターネット網６および複数の無線アクセスネットワークを介して端末１に複数の無線アクセスネットワーク間のハンドオーバーのための制御信号を通信するためのサーバー７と、端末１からの無線アクセスネットワークの切り替え指示に基づいてサーバー７にハンドオーバーのための制御信号の伝送に用いる無線アクセスネットワークの変更を指示する経路選択部１４とを備え、サーバー７は、経路選択部１４からの変更指示に基づいてハンドオーバーのための制御信号の伝送に用いる無線アクセスネットワーク２〜５を切り替える。【選択図】図１
2005260722.tif 000002
【特許請求の範囲】
【請求項１】
端末とノード間のデータ通信の経路を形成するための複数の無線アクセスシステムと、
前記ノードと複数の無線アクセスネットワーク間を接続するための通信網と、
前記通信網および前記複数の無線アクセスネットワークを介して端末に前記複数の無線アクセスネットワーク間のハンドオーバーのための制御信号を通信するためのサーバーと
を備えた統合無線システム用ネットワークにおいて、
無線アクセスネットワークの切り替え指示に基づいて前記サーバーにハンドオーバーのための制御信号の伝送に用いる無線アクセスネットワークの変更を指示する経路選択部をさらに備え、
前記サーバーは、前記経路選択部からの変更指示に基づいてハンドオーバーのための制御信号の伝送に用いる無線アクセスネットワークを切り替える
ことを特徴とする統合無線システム用ネットワーク。
【請求項２】
統合無線システムにおける端末とノード間のデータ通信の経路を形成するための複数の無線アクセスシステムと通信する通信機能部と、
前記通信機能部を介して前記統合無線システムのネットワーク側のサーバーとハンドオーバーのための制御信号を通信するＢＡＳ制御部と、
通信に使用する無線アクセスネットワークの変更を指示するためのハンドオーバー制御部と
を備えた統合無線システム用端末。
【請求項３】
請求項１に記載の統合無線システム用ネットワークと、請求項２に記載の統合無線システム用端末から構成されることを特徴とする統合無線システム。
【発明の詳細な説明】
【技術分野】
【０００１】
この発明は、複数の無線アクセスシステムから構成される統合無線システムと統合無線システム用ネットワーク及び端末に関する。
【背景技術】
【０００２】
従来の統合無線システムは、複数の無線アクセスシステム間でシームレスなサービスを実現するために、発着信、位置通知、認証、無線アクセスシステムの発見・選択・切り替え等を可能とするためBasic Access Signaling（ＢＡＳ）とよぶ制御プロトコルを用いる。この従来の統合無線システムでは、ある無線アクセスシステムから他の無線アクセスシステムへ切り替える場合はＢＡＳを用いて他の無線アクセスシステムへ切り替えるための制御信号を伝送していた。このＢＡＳをユーザーとネットワークの間で伝達する方法としては、既存の無線アクセスシステムへオーバーレイする方法がある（例えば非特許文献１）。
【０００３】
【非特許文献１】井上、マハムド、村上、長谷川、森川著「ＲＡＮオーバーレイ型ＭＩＲＡＩシステム（１）概要」電子情報通信学会、２００３年総合大会、Ｂ−５−１３１、２００３年３月
【発明の開示】
【発明が解決しようとする課題】
【０００４】
ところで、従来の統合無線システムにおいて、例えば、端末とノードの間の通信に用いていた例えばＰＨＳの無線アクセスネットワークと、通信を切り替える例えば無線ＬＡＮの無線アクセスネットワークと、無線アクセスシステムの切り替えに関するＢＡＳを伝送する例えば第２世代移動体通信システムの無線アクセスネットワークとの３つの無線アクセスネットワークがそれぞれ異なっている場合に、異なる無線アクセスネットワークの間でハンドオーバーを行う場合には、異なった３つの無線アクセスネットワークとの通信を行うことが必要となる。特に、シームレスに（瞬断を生じさせずに）無線アクセスネットワークを切り替えるためには、端末は、ＰＨＳの無線アクセスネットワークとの通信を行っている間に、切り替えに要するＢＡＳの制御信号を第２世代移動体通信システムの無線アクセスネットワークとの通信を行いサーバーの間でやり取りし、さらに、切り替える無線ＬＡＮの無線アクセスネットワークとの間での通信の接続を確立する必要がある。
【０００５】
そのため、従来の統合無線システムでは、通信している無線アクセスネットワークと通信を切り替える無線アクセスネットワークとの他に異なる無線アクセスネットワーク間での切り替え（ハンドオーバー）を制御するためのＢＡＳの制御信号を伝送している場合は、ハンドオーバー時に異なった３つの無線アクセスネットワークとの通信を行うことが必要となるため、端末の規模が増大するとの問題点があった。
【０００６】
この発明は前記の問題点を解決するためになされたものであり、ハンドオーバーを行う際に、端末が現在通信を行っている無線アクセスネットワークと切り替え先の無線アクセスネットワークにのみ接続すれば良く、その他の無線アクセスネットワークに接続する必要がなく、シームレスなハンドオーバーを実現できる統合無線システムと統合無線システム用ネットワーク及び端末を提供することを目的とする。
【課題を解決するための手段】
【０００７】
この発明に係る統合無線システム用ネットワークは、端末とノード間のデータ通信の経路を形成するための複数の無線アクセスシステムと、前記ノードと複数の無線アクセスネットワーク間を接続するための通信網と、前記通信網および前記複数の無線アクセスネットワークを介して端末に前記複数の無線アクセスネットワーク間のハンドオーバーのための制御信号を通信するためのサーバーとを備えた統合無線システム用ネットワークにおいて、無線アクセスネットワークの切り替え指示に基づいて前記サーバーにハンドオーバーのための制御信号の伝送に用いる無線アクセスネットワークの変更を指示する経路選択部をさらに備え、前記サーバーは、前記経路選択部からの変更指示に基づいてハンドオーバーのための制御信号の伝送に用いる無線アクセスネットワークを切り替えることを特徴とする。
【０００８】
また、この発明に係る統合無線システム用端末は、統合無線システムにおける端末とノード間のデータ通信の経路を形成するための複数の無線アクセスシステムと通信する通信機能部と、前記通信機能部を介して前記統合無線システムのネットワーク側のサーバーとハンドオーバーのための制御信号を通信するＢＡＳ制御部と、通信に使用する無線アクセスネットワークの変更を指示するためのハンドオーバー制御部とを備えたものである。
【０００９】
さらに、この発明に係る統合無線システムは、上記記載の統合無線システム用ネットワークと、上記記載の統合無線システム用端末から構成されることを特徴とする。
【発明の効果】
【００１０】
この発明によれば、ハンドオーバーを行う際に、端末は現在通信を行っている無線アクセスネットワークと切り替え先の無線アクセスネットワークにのみ接続すれば良く、その他の無線アクセスネットワークに接続する必要がなく、シームレスなハンドオーバーを実現できる。
【発明を実施するための最良の形態】
【００１１】
実施の形態１．
図１は、この発明に係る統合無線システムの構成を示すブロック図である。図１に示される統合無線システムは、端末１とノード８間のデータ通信の経路を形成するための複数の無線アクセスシステム２〜５と、ノード８と複数の無線アクセスネットワーク２〜５間を接続するための通信網としてのインターネット網６と、インターネット網６および複数の無線アクセスネットワーク２〜５を介して端末１に複数の無線アクセスネットワーク２〜５間のハンドオーバーのための制御信号を通信するためのサーバー７と、端末１からの無線アクセスネットワークの切り替え指示に基づいてサーバー７にハンドオーバーのための制御信号の伝送に用いる無線アクセスネットワークの変更を指示する経路選択部１４とを備えており、サーバー７は、無線アクセスネットワークの切り替えを管理するもので、経路選択部１４からの変更指示に基づいてハンドオーバーのための制御信号の伝送に用いる無線アクセスネットワーク２〜５を切り替えるようになされている。
【００１２】
また、端末１は、複数の無線アクセスシステムと無線通信する通信機能部１１と、通信機能部１１を介して統合無線システムのネットワーク側のサーバー７とハンドオーバーのための制御信号を通信するＢＡＳ制御部１２と、通信に使用する無線アクセスネットワークの変更を指示するためのハンドオーバー制御部１３とを備えている。
【００１３】
ここで、無線アクセスネットワーク２はＰＨＳの無線アクセスネットワーク、無線アクセスネットワーク３は無線ＬＡＮ（IEEE802.11b）の無線アクセスネットワーク、無線アクセスネットワーク４は第２世代移動体通信システムの無線アクセスネットワーク、無線アクセスネットワーク５は第３世代移動体通信システムの無線アクセスネットワークであり、無線アクセスネットワーク４，５は基地局を含む。
【００１４】
また、端末１において、通信機能部１１は、ＢＡＳ制御部１２もしくはハンドオーバー制御部１３の指示に基づき端末１と各無線アクセスネットワークの基地局とを無線接続する機能を提供する。さらに、通信機能部１１は、異なる無線アクセスネットワークの基地局と同時に無線接続する機能を有する。
【００１５】
また、ＢＡＳ制御部１２は、ＢＡＳプロトコルによって異なる無線アクセスネットワーク間の切り替えに関する制御信号の通信をサーバー７との間で実行し、その制御情報をハンドオーバー制御部１３へ伝送する。なお、このＢＡＳ制御部１２とサーバー７との間の通信は、通信機能部１１および無線アクセスネットワーク２〜５の中の１つの無線アクセスネットワークおよびインターネット網６を経由して実現する。また、ＢＡＳ制御部１２は、ハンドオーバー制御部１３から通信に使用する無線アクセスネットワークの変更に関する指示を受け取り、その指示に基づき、通信機能部１１を制御する。さらに、ハンドオーバー制御部１３からの制御情報をＢＡＳ制御プロトコルに従い、通信機能部１１および無線アクセスネットワーク２〜５、インターネット網６を経由してサーバー７へ伝送する機能を有する。
【００１６】
さらに、サーバー７側の経路選択部１４は、端末１がＢＡＳを伝送する無線アクセスネットワークとしてどの無線アクセスネットワークを利用しているかを管理（記録）する。さらに、通信に使用する無線アクセスネットワークの切り替え要求を受け付けたときに、サーバー７、インターネット網６、無線アクセスネットワーク２〜５のなかの１つの無線アクセスネットワークおよび端末１の通信機能部１１経由で端末１のＢＡＳ制御部１２へ、通信に使用する無線アクセスネットワークや、ＢＡＳを伝送する無線アクセスネットワークの変更を指示する。
【００１７】
次に、上述した構成を備えた統合無線システムの動作について説明する。ここでは、図２（ａ），（ｂ）に基づき、ＰＨＳの無線アクセスネットワーク２で端末１とノード８間のデータ通信中に、端末１主導で、無線ＬＡＮの無線アクセスネットワーク４へデータ通信を行う無線アクセスネットワークを切り替える場合について説明する。なお、以下ではＰＨＳの無線アクセスネットワーク２をＲＡＮ２と表記し、無線ＬＡＮの無線アクセスネットワーク３をＲＡＮ３と表記する。なお、使用する無線アクセスネットワークとして上記のＲＡＮ２、ＲＡＮ３以外の無線アクセスネットワークを用いた場合でも手順は同様である。この場合、端末１は、ＲＡＮ２、インターネット網６を経由してノード８とデータ通信を行っている。さらに、端末１はＲＡＮ２、インターネット網６を経由してサーバー７との間でＢＡＳ制御プロトコルに基づきハンドオーバーに関する制御情報の通信を行っている。
【００１８】
無線アクセスネットワークの切り替えは下記の手順（１）〜（９）に従って行われる。（１）端末１のハンドオーバー制御部１３が、データ通信を行う無線アクセスネットワークをＲＡＮ２からＲＡＮ３へ切り替える（ハンドオーバーの実行）要求を受け付ける。このハンドオーバーの実行要求は、端末１のユーザー入力や端末１上のアプリケーションからの要求である。ハンドオーバー制御部１３は、通信機能部１１へＲＡＮ３の通信機能を起動を指示する。
【００１９】
（２）通信機能部１１は、ハンドオーバー制御部１３からＲＡＮ３の通信機能の起動を指示された場合、ＲＡＮ２とのデータ通信、ＢＡＳの通信を継続したまま、ＲＡＮ３の通信機能を起動し、ＲＡＮ３での基地局の検出や、同期、位置登録等のＲＡＮ３との接続に必要な処理を行い、ＲＡＮ３との接続を確立する。このＲＡＮ３との接続の確立はＲＡＮ３に固有の手順に基づいて行う。この結果、端末１は、ＲＡＮ２とＲＡＮ３の２つの無線アクセスネットワークに接続する。ＲＡＮ３との接続が確立した時点で、通信機能部１１は、ＲＡＮ３との接続確立をＢＡＳ制御部１２、ハンドオーバー制御部１３へ通知する。
【００２０】
（３）通信機能部１１からＲＡＮ３への接続確立の報告を受けたハンドオーバー制御部１３は、ＢＡＳ制御部１２に対して、ＢＡＳを伝送する無線アクセスネットワークをＲＡＮ２からＲＡＮ３へ切り替えるように指示する。
【００２１】
（４）ハンドオーバー制御部１３からＲＡＮ２からＲＡＮ３へのＢＡＳを伝送する無線アクセスネットワークの切り替える指示を受けたＢＡＳ制御部１２は、ＲＡＮ２およびインターネット網６、サーバー７を経由してサーバー側経路選択部１４へ、ＢＡＳを伝送する無線アクセスネットワークの切り替えを指示する。
【００２２】
（５）サーバー側経路選択部１４は、端末１のＢＡＳ制御部１２からＢＡＳを伝送する無線アクセスネットワークをＲＡＮ２からＲＡＮ３への切り替え指示を受信した場合、経路選択部１４に記録されている端末１のＢＡＳの伝送に使用している無線アクセスネットワークの記録をＲＡＮ２からＲＡＮ３に変更する。さらに、サーバー７に対してＢＡＳの伝送に用いている無線アクセスネットワークをＲＡＮ２からＲＡＮ３へ変更を指示する。
【００２３】
（６）経路選択部１４からＢＡＳの伝送に用いている無線アクセスネットワークのＲＡＮ２からＲＡＮ３への変更が指示された場合、サーバー７は、ＢＡＳの伝送に用いている無線アクセスネットワークをＲＡＮ２からＲＡＮ３へ変更する。さらに、サーバー７は、インターネット網６、ＲＡＮ３および端末１の通信機能部１１を経由して端末１のＢＡＳ制御部１２に対してＢＡＳの伝送に用いている無線アクセスネットワークをＲＡＮ２からＲＡＮ３への変更の完了を通知する。
【００２４】
（７）サーバー７からＢＡＳの伝送に用いている無線アクセスネットワークのＲＡＮ２からＲＡＮ３への変更の完了を受信したＢＡＳ制御部１２は、端末１側のハンドオーバー制御部１３に対して、ＢＡＳの伝送に用いる無線アクセスネットワークの切り替え完了を報告する。この報告を受信後、ハンドオーバー制御部１３とサーバー７は、端末１とノード８とのデータ通信の経路をＲＡＮ２からＲＡＮ３へ切り替える。
【００２５】
（８）データ通信の無線アクセスネットワークの切り替えが完了した後、ハンドオーバー制御部１３は、通信機能部１１に対して、ＲＡＮ２との通信機能の停止を指示する。
【００２６】
（９）ＲＡＮ２との通信機能停止の指示を受けた通信機能部１１は、ＲＡＮ２との通信機能を停止する。
【００２７】
従って、実施の形態１によれば、データ通信を行う無線アクセスシステムを切替える（ハンドオーバーする）ときでも、端末１は、現在通信を行っている無線アクセスネットワークと、切替え先の無線アクセスネットワークにのみ接続すればよく、それ以外の無線アクセスネットワークに接続する必要がない。このため、最大２つの無線アクセスネットワークに接続するだけで、シームレスなハンドオーバーが実現できる。
【００２８】
なお、前記手順（２）では、通信機能部１１は経路選択部１４からの指示でＲＡＮ３の無線通信機能を起動したが、通信機能部１１においてあらかじめＲＡＮ３の無線通信機能が起動していた場合もこの発明の効果は損なわれない。さらに、手順（８）で、ハンドオーバー制御部１３は、通信機能部１１に対して、ＲＡＮ２との通信機能の停止を指示するとしたが、ＲＡＮ２の通信機能の停止を指示せず、前記手順（９）のＲＡＮ２の通信機能の停止を行わない場合でもこの発明の効果は損なわれない。
【００２９】
また、実施の形態１では、ＰＨＳの無線アクセスネットワーク２から無線ＬＡＮの無線アクセスネットワーク３へハンドオーバーする場合について説明したが、これら以外の無線アクセスネットワーク間のハンドオーバーにおいても同様な効果を奏する。また、実施の形態１においては、インターネット網６に接続された無線アクセスネットワークとして、ＰＨＳ、無線ＬＡＮ、第２世代移動体通信システム、第３世代移動体通信システムの場合を示したが、この発明は、２個以上の無線アクセスネットワークがインターネットに接続されている場合であれば、その２個以上の無線アクセスネットワーク間でのハンドオーバー時に同様な効果を奏する。
【００３０】
さらに、実施の形態１では、無線アクセスネットワーク間、およびサーバー７、ノード８の接続にインターネット網６を用いた場合を示したが、インターネット以外の通信ネットワークを無線アクセスネットワーク間およびサーバー７、ノード８の接続に用いる場合でも同様な効果を奏する。また、実施の形態１では、端末１のデータ通信の相手としてインターネット網６に接続されたノード８の場合について説明したが、端末１の通信相手としては、インターネット網６経由で他の有線ネットワークに接続された場合や、無線アクセスネットワークに接続した他の端末であっても同様な効果を奏する。
【００３１】
実施の形態２．
図３（ａ）〜（ｃ）は、この発明の実施の形態２に係る統合無線システムの動作を説明するもので、図１に示す統合無線システムにおいて、ＰＨＳの無線アクセスネットワーク２で端末１とノード８間のデータ通信中に、ノード８主導で、無線ＬＡＮの無線アクセスネットワーク３へデータ通信を行う無線アクセスネットワークを切り替える場合の手順を示す。なお、使用する無線アクセスネットワークとして上記ＲＡＮ２、ＲＡＮ３以外の無線アクセスネットワークを用いた場合でも手順は同様である。また、図中の構成要素は、図１〜図２で説明したものと同一であるため説明を省略する。この場合、端末１は、ＲＡＮ２、インターネット網６を経由してノード８とデータ通信を行っている。さらに、端末１は、ＲＡＮ２、インターネット網６を経由してサーバー７との間でＢＡＳ制御プロトコルに基づきハンドオーバーに関する制御情報の通信を行っている。
【００３２】
無線アクセスネットワークの切り替えは手順（１）〜（１２）に従って行われる。
（１）ノード８におけるユーザー入力やアプリケーションがデータ通信を行う無線アクセスネットワークのＲＡＮ２からＲＡＮ３への切り替える要求を発生した場合、ノード８は、サーバー７に対して、無線アクセスネットワークをＲＡＮ２からＲＡＮ３へ切り替えを指示する。
【００３３】
（２）無線アクセスネットワークをＲＡＮ２からＲＡＮ３へ切り替える指示を受けたサーバー７は、ＢＡＳ制御プロトコルを用いて、インターネット網６、ＲＡＮ２、端末１の通信機能部１１を経由して、ＢＡＳ制御部１２へ無線アクセスネットワークをＲＡＮ２からＲＡＮ３へ切り替える指示を伝送する。
【００３４】
（３）ＢＡＳ制御プロトコルにより、無線アクセスネットワークをＲＡＮ２からＲＡＮ３へ切り替える指示を受け取ったＢＡＳ制御部１２は、ハンドオーバー制御部１３に対して無線アクセスネットワークをＲＡＮ２からＲＡＮ３へ切り替える要求をハンドオーバー制御部１３へ伝送する。
【００３５】
（４）端末１のハンドオーバー制御部１３が、データ通信を行う無線アクセスネットワークをＲＡＮ２からＲＡＮ３へ切り替える（ハンドオーバーの実行）要求を受け付ける。このハンドオーバーの実行要求は、端末１のユーザー入力や、端末１上のアプリケーションからの要求である。ハンドオーバー制御部１３は、通信機能部１１へＲＡＮ３の通信機能の起動を指示する。
【００３６】
（５）通信機能部１１は、ハンドオーバー制御部１３からＲＡＮ３の通信機能の起動が指示された場合、ＲＡＮ２とのデータ通信、ＢＡＳの通信を継続したまま、ＲＡＮ３の通信機能を起動し、ＲＡＮ３での基地局の検出や、同期、位置登録等のＲＡＮ３との接続に必要な処理を行い、ＲＡＮ３との接続を確立する。このＲＡＮ３との接続の確立はＲＡＮ３に固有の手順に基づいて行う。この結果、端末１は、ＲＡＮ２とＲＡＮ３の２つの無線アクセスネットワークに接続する。ＲＡＮ３との接続が確立した時点で、通信機能部１１は、ＲＡＮ３との接続確立をＢＡＳ制御部１２、ハンドオーバー制御部１３へ通知する。
【００３７】
（６）通信機能部１１からＲＡＮ３への接続確立の報告を受けたハンドオーバー制御部１３は、ＢＡＳ制御部１２に対して、ＢＡＳを伝送する無線アクセスネットワークをＲＡＮ２からＲＡＮ３へ切り替えるように指示する。
【００３８】
（７）ハンドオーバー制御部１３からＲＡＮ２からＲＡＮ３へ、ＢＡＳを伝送する無線アクセスネットワークの切り替える指示を受けたＢＡＳ制御部１２は、ＲＡＮ２およびインターネット網６、サーバー７を経由してサーバー側経路選択部１４へ、ＢＡＳを伝送する無線アクセスネットワークの切り替えを指示する。
【００３９】
（８）サーバー側経路選択部１４は、端末１のＢＡＳ制御部１２からＢＡＳを伝送する無線アクセスネットワークをＲＡＮ２からＲＡＮ３へ切り替えると指示を受信した場合、経路選択部１４に記録されている端末１がＢＡＳの伝送に使用している無線アクセスネットワークの記録をＲＡＮ２からＲＡＮ３に変更する。さらに、サーバー７に対してＢＡＳの伝送に用いている無線アクセスネットワークをＲＡＮ２からＲＡＮ３へ変更を指示する。
【００４０】
（９）経路選択部１４からＢＡＳの伝送に用いている無線アクセスネットワークのＲＡＮ２からＲＡＮ３への変更が指示された場合、サーバー７は、ＢＡＳの伝送に用いている無線アクセスネットワークをＲＡＮ２からＲＡＮ３へ変更する。さらに、サーバー７は、インターネット網６、ＲＡＮ３および端末１の通信機能部１１を経由して端末１のＢＡＳ制御部１２に対してＢＡＳの伝送に用いている無線アクセスネットワークをＲＡＮ２からＲＡＮ３へ変更の完了を通知する。
【００４１】
（１０）サーバー７からＢＡＳの伝送に用いている無線アクセスネットワークのＲＡＮ２からＲＡＮ３への変更完了を受信したＢＡＳ制御部１２は、端末１側のハンドオーバー制御部１３に対して、ＢＡＳの伝送に用いる無線アクセスネットワークの切り替え完了を報告する。この報告を受信後、ハンドオーバー制御部１３とサーバー７は、端末１とノード８とのデータ通信の経路をＲＡＮ２からＲＡＮ３へ切り替える。
【００４２】
（１１）データ通信の無線アクセスネットワークの切り替えが完了した後、ハンドオーバー制御部１３は、通信機能部１１に対して、ＲＡＮ２との通信機能の停止を指示する。
【００４３】
（１２）ＲＡＮ２との通信機能の停止指示を受けた通信機能部１１は、ＲＡＮ２との通信機能を停止する。
【００４４】
従って、実施の形態２によれば、データ通信を行う無線アクセスシステムを切替える（ハンドオーバーする）ときでも、端末１は現在通信を行っている無線アクセスネットワークと、切替え先の無線アクセスネットワークにのみ接続すればよく、それ以外の無線アクセスネットワークに接続する必要がない。したがって、最大２つの無線アクセスネットワークに接続するだけで、シームレスなハンドオーバーが実現できる。
【００４５】
なお、前記手順（５）では、通信機能部１１はハンドオーバー制御部１３からの指示でＲＡＮ３の無線通信機能を起動したが、通信機能部１１においてあらかじめＲＡＮ３の無線通信機能が起動していた場合もこの発明の効果は損なわれない。さらに、手順（１１）で、ハンドオーバー制御部１３は、通信機能部１１に対して、ＲＡＮ２との通信機能の停止を指示するとしたが、ＲＡＮ２の通信機能の停止を指示せず、前記手順（９）のＲＡＮ２の通信機能の停止を行わない場合でもこの発明の効果は損なわれない。
【００４６】
また、実施の形態２では、ＰＨＳの無線アクセスネットワーク２から無線ＬＡＮの無線アクセスネットワーク３へハンドオーバーする場合について説明したが、これら以外の無線アクセスネットワーク間のハンドオーバーにおいても、同様な効果を奏する。また、実施の形態２においては、インターネット網に接続された無線アクセスネットワークとして、ＰＨＳ、無線ＬＡＮ、第２世代移動体通信システム、第３世代移動体通信システムの場合を示したが、この発明は、２個以上の無線アクセスネットワークがインターネットに接続されている場合であれば、その２個以上の無線アクセスネットワーク間でのハンドオーバー時に同様な効果を奏する。
【００４７】
また、実施の形態２では、無線アクセスネットワーク間、およびサーバー、ノードの接続にインターネット網６を用いた場合を示したが、インターネット以外の通信ネットワークを無線アクセスネットワーク間およびサーバー、ノードの接続に用いる場合でも同様な効果を奏する。また、実施の形態２では、端末１のデータ通信の相手としてインターネット網に接続されたノード８の場合について説明したが、端末１の通信相手としては、インターネット網６経由で他の有線ネットワークに接続された場合や、無線アクセスネットワークに接続した他の端末であっても同様な効果を奏する。
【図面の簡単な説明】
【００４８】
【図１】この発明に係る統合無線システムの構成を示すブロック図である。
【図２】この発明の実施の形態１に係る統合無線システム統合の動作を説明するもので、端末主導で、無線アクセスネットワークを切り替える場合の手順を示す図である。
【図３】この発明の実施の形態２に係る統合無線システム統合の動作を説明するもので、ノード主導で、無線アクセスネットワークを切り替える場合の手順を示す図である。
【符号の説明】
【００４９】
１  端末、２  ＰＨＳの無線アクセスネットワーク、３  無線ＬＡＮの無線アクセスネットワーク、４  第２世代移動体通信システムの無線アクセスネットワーク、５  第３世代移動体通信システムの無線アクセスネットワーク、６  インターネット網、７  サーバー、８  ノード、１１  通信機能部、１２  ＢＡＳ制御部、１３  ハンドオーバー制御部、１４  経路選択部。
【図１】
2005260722.tif 000003
【図２】
2005260722.tif 000004
【図３】
2005260722.tif 000005